(57)【要約】【課題】ユーザーが誤って運転時間や運転回数を書き換えてしまうことを防止し、故障などによる部品交換によりメモリが交換される場合に、運転回数や運転時間といった運転経過状態に係る情報の引継ぎを確実に行うことが可能な食器洗い機を提供する。【解決手段】食器洗い機への指示を入力するための操作部６と、操作部６に入力された制御情報に基づいて食器洗い機の運転制御を行うとともにカバー２５で覆われる制御部２１と、食器洗い機の運転状況を表示する表示部７とを備え、制御部２１は、運転の経過状態に係る情報を記録するとともに情報を読み出し及び書き込み可能なメモリ２２と、メモリ２２に書き込まれた情報を表示部７に表示させるために操作されるとともにカバー２５が外されて操作可能となるメモリ制御部２３とを有する食器洗い機であり、上記課題を解決することができる。【選択図】図１
2011250923.tif 000002
【特許請求の範囲】
【請求項１】
被洗浄物を洗浄する食器洗い機であって、食器洗い機への指示を入力するための操作部と、前記操作部に入力された制御情報に基づいて食器洗い機の運転制御を行うとともにカバーで覆われる制御部と、食器洗い機の運転状況を表示する表示部とを備え、前記制御部は、運転の経過状態に係る情報を記録するとともに情報を読み出し及び書き込み可能なメモリと、前記メモリに書き込まれた情報を前記表示部に表示させるために操作されるとともに前記カバーが外されて操作可能となるメモリ制御部とを有する食器洗い機。
【請求項２】
前記表示部は、食器洗い機の運転状況を表示するとともに前記カバーにより覆われていない第１の表示部と、前記メモリに書き込まれた情報を表示するとともに前記制御部に配置される第２の表示部とを有する請求項１に記載の食器洗い機。
【請求項３】
前記表示部は、食器洗い機の本体の前面に配置される請求項１に記載の食器洗い機。
【発明の詳細な説明】
【技術分野】
【０００１】
本発明は食器洗い機に関するものである。
【背景技術】
【０００２】
一般的に、食器洗い機では、長期間の使用により、ヒータによる加熱・洗剤・被洗浄物から洗い流される油などの影響により、温度的、化学的に部品の劣化が進むため、所定の運転回数や運転時間などにおいて、サービスマンによる点検を行うことが望ましい。
【０００３】
一方では、信頼性や安全性が要求される電気機器では、メモリを用いて、カウントした積算通電時間や運転回数をメモリへ記憶し、積算の通電時間や運転回数が所定範囲または所定時間もしくは所定回数以上となったら、自動的に警告や表示を行うことによって、点検時期をユーザーへ知らせ、予防的なメンテナンスを促す技術がある（例えば、特許文献１参照）。
【０００４】
これによれば、食器洗い機において、所定の積算通電時間や積算運転回数などを検知することで、点検時期をユーザーへ警告・表示することが可能となる。また、所定の運転時間や運転回数以下において、故障や修理によりメモリが交換される際には、サービスマンなどが、外部からの操作により運転時間や運転回数をメモリから読み出し、新しいメモリへその情報を書き込むことで、交換前の運転回数や運転時間を引き継ぐことは当然可能である。
【先行技術文献】
【特許文献】
【０００５】
【特許文献１】特許第２６６６３６３号公報
【発明の概要】
【発明が解決しようとする課題】
【０００６】
しかしながら、このような従来の技術では、サービスマンが製品の運転を制御する釦等のスイッチを操作し、運転時間や運転回数を読み出し、修理時に新しいメモリに書き込みを行えるようにしていたが、製品の運転を制御する釦等のスイッチはユーザーが操作することが可能であり、ユーザーが誤った操作をしてしまい、運転時間や運転回数を誤って書き換えてしまうという問題を有していた。また、運転時間や運転回数などを表示させるための手段を製品外郭に設けることで、ユーザーにとって不必要な表示部を有することになり、使い勝手が悪くなるという問題も有していた。
【０００７】
本発明は、上記従来の課題を解決するもので、ユーザーが誤って運転時間や運転回数を書き換えてしまうことがないようにし、点検・修理などが必要な時期をユーザーへ正確にかつ確実に知らせることが可能となる。
【課題を解決するための手段】
【０００８】
本発明は、上記目的を達成するために、被洗浄物を洗浄する食器洗い機であって、食器洗い機への指示を入力するための操作部と、前記操作部に入力された制御情報に基づいて食器洗い機の運転制御を行うとともにカバーで覆われる制御部と、食器洗い機の運転状況を表示する表示部とを備え、前記制御部は、運転の経過状態に係る情報を記録するとともに情報を読み出し及び書き込み可能なメモリと、前記メモリに書き込まれた情報を前記表示部に表示させるために操作されるとともに前記カバーが外されて操作可能となるメモリ制御部とを有することで、ユーザーが誤ってメモリ制御部を操作することがなくなり、運
転時間や運転回数を誤って書き換えてしまうことがなく、点検・修理が必要な時期をユーザーに正確に知らせることが可能となる。
【発明の効果】
【０００９】
本発明の食器洗い機は、ユーザーが誤った操作をできなくすることで、点検・修理などが必要な時期を正確にかつ確実にユーザーに知らせることができる。
【図面の簡単な説明】
【００１０】
【図１】本発明の実施の形態１の食器洗い機の縦断面図
【図２】本発明の実施の形態１の食器洗い機の制御部のブロック図
【図３】本発明の実施の形態１の食器洗い機の動作を示すフローチャート
【図４】本発明の実施の形態２の食器洗い機の縦断面図
【発明を実施するための形態】
【００１１】
第１の発明は、被洗浄物を洗浄する食器洗い機であって、食器洗い機への指示を入力するための操作部と、前記操作部に入力された制御情報に基づいて食器洗い機の運転制御を行うとともにカバーで覆われる制御部と、食器洗い機の運転状況を表示する表示部とを備え、前記制御部は、運転の経過状態に係る情報を記録するとともに情報を読み出し及び書き込み可能なメモリと、前記メモリに書き込まれた情報を前記表示部に表示させるために操作されるとともに前記カバーが外されて操作可能となるメモリ制御部とを有することで、ユーザーが誤った操作で運転経過状態に係る情報を消去または書き換えることがなくなり、点検・修理が必要な時期をユーザーへ正確に知らせることができる。
【００１２】
第２の発明は、前記表示部が、食器洗い機の運転状況を表示するとともに前記カバーにより覆われていない第１の表示部と、前記メモリに書き込まれた情報を表示するとともに前記制御部に配置される第２の表示部とを有することで、運転状況の表示とメモリに書き込まれた情報の表示を分けることが可能となり、ユーザーが運転状況の表示を誤認識することがなくなり、確実な運転が可能となる。また、通常の使用においてユーザーにとって不必要な表示部が無く使い勝手のよい食器洗い機を実現することができる。
【００１３】
第３の発明は、前記表示部が、食器洗い機の本体の前面に配置されることにより、食器洗い機が使用状態であっても表示を確認することが可能となり、使い勝手が向上する。
【００１４】
以下、本発明の実施の形態について、図面を参照しながら説明する。なお、この実施の形態によって本発明が限定されるものではない。
【００１５】
（実施の形態１）
図１に示すように、システムキッチンに収容された筐体１は、上方に開口部２を有し食器類３を収容し洗浄する洗浄槽４を設けている。洗浄槽４は給水手段５を介して水道配管と接続されており、運転時に洗浄槽４内に水を供給するようにしている。筐体１前面には電源のオン・オフ、運転コースの選択などを行う操作部６、各状態の表示を行う表示部７を配設している。
【００１６】
また洗浄槽４は、筐体１の両側面内側に略水平方向に架設されたレール８に沿って前後方向に引き出し自在となっており、洗浄槽４とレール８とをネジ等の手段により固定しており、固定を解除することで洗浄槽４を筐体１から引き出し可能に構成している。
【００１７】
洗浄槽４の内部には食器類３を収容する食器かご９を配置し、食器かご９の下方には洗浄ノズル１０を回転自在に設けており、洗浄槽４内部に洗浄水を加熱するヒータ等の加熱手段１１と洗浄槽４の底部に排水口１２を設けている。また洗浄槽４の外側には洗浄槽４
内の温度を検知するサーミスタ等で構成された温度検知手段１３と、前記排水口１２に溜まる洗浄水を前記洗浄ノズル１０に送るモータ１４を具備した洗浄ポンプ１５を配置し、排水口１２に溜まる洗浄水を洗浄ポンプ１５によって循環させ、洗浄ノズル１０より噴射して食器類３を洗浄するよう構成している。
【００１８】
また、筐体１の上方に開口部２を閉塞するための蓋体１６を配置し、前後一対のリンクを含む左右一対の平行リンク機構１７により上下動自在に支持されるとともに、洗浄槽４の開口部２をシールする弾性体のシール部材１８が固定され、洗浄槽４を引き出したとき、シール部材１８が洗浄槽４の前後の移動に干渉しないよう上方に逃がす構成としている。
【００１９】
また、洗浄槽４内の空気を排出する排気口（図示しない）と、洗浄槽４内に外気を供給する送風手段２０を備えており、乾燥工程時に洗浄槽４内の湿った空気を排気口を通して洗浄槽４外に排出する構成としている。洗浄槽４の前壁部の前面に食器洗い機の運転を制御する制御部２１を配設してある。
【００２０】
図２に詳細を示す制御部２１は洗浄、すすぎ、乾燥の各工程を逐次制御するとともに、運転経過状態に係る情報を記録するとともに情報を読み出し、書き込みおよび消去が可能なメモリ２２と、前記メモリ２２に運転毎の運転経過状態に係る情報を書き込むための状態検知手段２４と、前記メモリ２２に書き込まれた情報を前記表示部７に表示させるために操作されるメモリ制御部２３を備え、前記制御部２１は、図１に示すようにカバー２５で覆われている。
【００２１】
前記の運転経過状態に係る情報とは運転回数もしくは運転時間もしくは前記温度検知手段１３により前記洗浄槽４内が所定の温度に到達した回数の少なくとも一つとして設定している。メモリ２２の制御に関しては、操作部６もしくは少なくともメモリ制御部２３に所定の操作を加えることで、表示部７に運転経過状態に係る情報を表示させることを可能としており、かつ新たな運転経過状態に係る情報をメモリ２２に書き込むことも可能としている。
【００２２】
次に、図３のフローチャートを用いて制御部２１の詳細な構成および動作、作用を説明する。
【００２３】
ユーザーが操作部６を操作し、運転をスタートすると、まずメモリ２２を確認し、運転経過状態Ａ（正確には運転経過状態に係る情報Ａであるが、以下このように称する）が存在するかを確認する（ステップ２６）。工場出荷時の未使用状態で考えると、運転経過状態Ａは存在しないため、次に運転経過状態Ｂを確認する（ステップ２７）。ここで、製品状態で出荷された制御部２１にはあらかじめ製造段階で運転経過状態Ｂに所定の値を入力しておく。つまり、運転経過状態Ｂは存在すると判断される。
【００２４】
次に、運転経過状態Ａと運転経過状態Ｂを合算した運転経過状態Ｃが所定の値Ｘ以下であるかを確認する（ステップ２８）。所定値Ｘ以下、つまりまだ点検が不要であれば、洗い・すすぎ・乾燥の各工程を運転し、運転経過状態Ａへ回数または時間を加算し運転を終了する（ステップ２９、３０）。
【００２５】
ここで所定値Ｘとは、長期使用により、サービスマンによる点検が必要となる運転回数もしくは運転時間もしくは前記温度検知手段１３により前記洗浄槽４内が所定の温度に到達した回数の少なくとも一つとして設定されている。概念的に所定値Ｘと表現するが、一つの値に限らず、上記項目の複数の値を併用してもよい。
【００２６】
使用開始初回の運転では、運転経過状態Ａが存在しないため、運転経過状態Ｂを確認するステップ２７を動作するが、一度、運転を行うと、運転経過状態Ａに回数または時間が加算されるため、次回からは、運転経過状態Ｂの確認は行われない。
【００２７】
また、長期使用により、ステップ２８で運転経過状態Ｃが所定値Ｘ以上となった場合には、長期使用により点検が必要と判断し、ユーザーへ警告や表示により点検時期を知らせる点検報知モードへと移行する（ステップ３１）。
【００２８】
メモリ２２に運転経過状態Ａおよび運転経過状態Ｂが存在しない場合には、音声やＬＥＤ等による表示によりユーザーやサービスマンに異常を報知するメモリ異常モードを動作し、通常の運転動作は実行しない（ステップ３２）。
【００２９】
次に、故障や修理などで、制御部２１を交換する場合を説明する。なお、修理・交換用の制御部２１は配設されるメモリ２２の運転経過状態Ａおよび運転経過状態Ｂは何も記憶されていないものを使用する。
【００３０】
まず、交換前にサービスマンが操作部６もしくはメモリ制御部２３に所定の操作を行い、運転経過状態Ｃを表示部７に表示させ、運転回数または運転時間としてメモをとる。次に、それまでの制御部２１を取り外し、新しい制御部２１を本体に取り付ける作業を行う。そして、少なくともメモリ制御部２３への所定の操作により、さきほどメモをとった運転回数または運転時間をメモリ２２へ書き込む作業を行う。その後、運転確認を行い、洗い、すすぎ、乾燥といった通常の運転が動作するかを確認する。このように正規の作業を行った場合、運転経過状態Ｂ確認のステップ２７で運転経過状態Ｂが存在すると判断されるため、以後、通常に動作可能となる。
【００３１】
一方、この書き込み作業を省略したり、忘れたりすると、運転経過状態Ｂは存在しないままとなり、前述の運転経過状態Ｂ確認のステップ２７で運転経過状態Ｂが存在しないと判断するため、ステップ３２へ移行して、作業後の運転確認時に音声や、表示部７により警告を行うメモリ異常モードを動作し、運転経過状態に係る情報の引継ぎがなされていないことをサービスマンへ知らせることになる。
【００３２】
つまり、故障や修理などで制御部２１が交換される場合には、運転経過状態に係る情報の引継ぎを確実に行わないと、以後使用不可能となるため、必然的に、運転経過状態に係る情報の引継ぎがされることになる。これにより、従来、制御部交換時には運転経過状態に係る情報の引継ぎがされない場合があり、点検が必要な時期を確実にユーザーへ警告することができない場合があったが、本実施の形態の食器洗い機によると点検・修理が必要な時期をユーザーへ正確かつ確実に知らせることができる。
【００３３】
しかしながら、運転経過状態に係る情報の引継ぎが正常に行われるためには、メモリ２２内に正しい運転経過状態に係る情報が記憶されていることが必要であるが、メモリ制御部２３を制御部２１に配設し、制御部２１をカバー２５で覆うことで、サービスマンによってカバー２５が外されてはじめてメモリ制御部２３が操作可能となり、ユーザーが誤ってメモリ制御部２３を操作することがなくなり、メモリ２２内の運転経過状態に係る情報が誤って変更されることを防ぐことができ、正しい運転経過状態に係る情報がメモリ２２に記憶されていることになり、本実施の形態では、より確実に点検・修理が必要な時期をユーザーに知らせることが可能となる。
【００３４】
（実施の形態２）
また、図４に示すように表示部を運転状況を表示する第１の表示部３３とメモリ２２に書き込まれた情報を表示する第２の表示部３４とに分け、前記第２の表示部３４を、カバ
ー２５によって覆われ、ユーザーが触れることのできない制御部２１に配置することで、メモリ２２内の運転経過状態に係る情報がユーザーによって誤って変更されることを防ぐことができるとともに、ユーザーが通常認識する表示部を簡素化でき、ユーザーに分かり易い表示を行うことが可能となる。
【００３５】
また、操作部６もしくは少なくともメモリ制御部２３において所定の操作をすることにより、サービスマンがメモリ２２の運転経過状態に係る情報を消去することを可能としておくことで、新たな運転経過状態に係る情報を書き込む際に、誤った書き込みを実施してしまった場合に、やり直しが可能となる。
【００３６】
なお、本実施の形態では操作部６もしくは少なくともメモリ制御部２３において所定の操作を行い、表示部７を読み取ることで、運転経過状態に係る情報の読み出し、書き込みを行っているが、制御部２１にメモリ２２と外部機器とを接続可能なコネクタを配設しておき、サービスマンが所定の外部機器を接続し、メモリ２２の情報を読み出し・書き込みをすれば、より多くの情報の引継ぎが容易に可能となると同時に、制御部２１が故障し、電源が入らない場合にも対応できる。
【００３７】
また、本実施の形態ではメモリ２２を制御部２１から取り外し不可能な構成として、製造コストを抑制しているが、サービスマンによる作業をより簡易にするために、メモリ２２を脱着可能に構成することで、すべての情報を簡易に引き継ぐことも当然可能である。
【産業上の利用可能性】
【００３８】
以上のように、本発明にかかる食器洗い機は、被洗浄物を洗浄する食器洗い機であって、食器洗い機への指示を入力するための操作部と、前記操作部に入力された制御情報に基づいて食器洗い機の運転制御を行うとともにカバーで覆われる制御部と、食器洗い機の運転状況を表示する表示部とを備え、前記制御部は、運転の経過状態に係る情報を記録するとともに情報を読み出し及び書き込み可能なメモリと、前記メモリに書き込まれた情報を前記表示部に表示させるために操作されるとともに前記カバーが外されて操作可能となるメモリ制御部とを有することで、ユーザーが誤ってメモリ制御部を操作することを防ぐことが可能となり、運転経過状態に係る情報を書き換えることがなくなり、点検・修理が必要な時期をユーザーに正確に知らせることができ、汚れた食器等の被洗浄物を洗剤を含む洗浄水を用いて洗浄する食器洗い機等として有用である。
【符号の説明】
【００３９】
６  操作部
７  表示部
２１  制御部
２２  メモリ
２３  メモリ制御部
２５  カバー
２６〜３２  ステップ
３３  第１の表示部
３４  第２の表示部
【図１】
2011250923.tif 000003
【図２】
2011250923.tif 000004
【図３】
2011250923.tif 000005
【図４】
2011250923.tif 000006